(57)【要約】      （修正有）【課題】ハウジングのドアに設置された一つの圧縮空気供給ヘッダーにブローパイプを連結し、エアノズルがそれぞれのフィルターに直接対向するようにしてドアを単純化させた集塵機の提供。【解決手段】内部にフィルター２００を積層搭載するための空間が設けられるハウジング１００と、フィルター２００が水平に挿入されて積層配置されるようにハウジング１００が縦に区画され、フィルター２００の挿入される挿入孔２２０を有するプレート２１０がハウジング１００のドア１１０の入り口全面に備えられ、ハウジング１００のドア１１０の上端には一つの圧縮空気供給ヘッダー４００が設置され、多数のフィルター２００にそれぞれ対応するエアノズル４２０を備えたブローパイプ４１０が圧縮空気供給ヘッダー４００に連結されてハウジング１００のドア１１０の内側に設置される、ブローパイプ４１０付きドア１１０を備える水平型集塵機。【選択図】図３
2009233665.tif 000002
【特許請求の範囲】
【請求項１】
内部にフィルターを積層搭載するための空間が設けられるハウジングと、前記ハウジングの内部に設置され、空気吸入部を介して流入した外部空気から粉塵を除去するように積層配置される多数のフィルターと、外部空気を吸入し、前記フィルターによって濾過されたクリーンな空気を空気排出部に排出させる送風機と、前記フィルターの内部に圧縮空気を供給し、前記フィルターの外部に付着した粉塵を分離させる圧縮空気供給ヘッダーと、前記ハウジングの粉塵排出部に結合され、前記フィルターで分離された粉塵を収集する集塵筒とを含む集塵機において、前記フィルターが水平に挿入されて積層配置されるように前記ハウジングが縦に区画され、前記フィルターの挿入される挿入孔を有するプレートが前記ハウジングのドアの入り口全面に備えられ、前記ハウジングのドアの上端には一つの圧縮空気供給ヘッダーが設置され、前記多数のフィルターにそれぞれ対応するエアノズルを備えたブローパイプが前記圧縮空気供給ヘッダーに連結されて前記ハウジングのドアの内側に設置されることを特徴とする、ブローパイプ付きドアを備える水平型集塵機。
【請求項２】
前記圧縮空気供給ヘッダーに連結されたブローパイプは、前記フィルターに供給される圧縮空気の圧力を一定にするために、その直径を前記圧縮空気供給ヘッダーの連結部位から下方側に段階別に縮小させた形態をとることを特徴とする、請求項１に記載のブローパイプ付きドアを備える水平型集塵機。
【請求項３】
前記ドアにヒンジによって結合された前記ハウジングの外側壁には、前記圧縮空気供給ヘッダーに連結される制御線と、圧縮空気を供給するエアホースとを収納するためのホーストレイが備えられることを特徴とする、請求項１または２に記載のブローパイプ付きドアを備える水平型集塵機。
【発明の詳細な説明】
【技術分野】
【０００１】
本発明は、多量の粉塵が発生する場所に設置し、粉塵を除去し且つクリーンな空気を供給することが可能な集塵機に係り、より詳しくは、ハウジングのドアの上端に一つの圧縮空気供給ヘッダーを設置し、多数のフィルターにそれぞれ対応するエアノズルを備えたブローパイプを前記圧縮空気供給ヘッダーと連結してハウジングのドアの内側に設置することにより、圧縮空気供給ヘッダーとブローパイプをハウジングのドアに一体化させた、ブローパイプ付きドアを備える水平型集塵機に関する。
【背景技術】
【０００２】
一般に、集塵装置は、例えば多量の粉塵が発生する工場などに設置され、フィルターを介して空気中の粉塵を集塵する役割を果たす。このような集塵装置は、ハウジング内に上下に配置されるフィルターが設置され、ハウジングの上部には粉塵などの汚染物質が含まれた空気を流入させるための空気吸入部が設けられ、ハウジングの下部にはフィルターによって粉塵などが除去されたクリーンな空気を排出するための空気排出部が設けられ、ハウジングのドアにはフィルターの外側に積もった粉塵を吹き出すためにフィルターの内部に圧縮空気を供給する圧縮空気供給ヘッダーが設置される。
【０００３】
このような集塵装置では、別途の送風機によって、粉塵などの汚染物質を含んだ外部空気が空気吸入部を介してハウジング内に流入するようにし、ハウジング内に流入した外部空気はフィルターを通過しながら粉塵などが濾過され、フィルターによって粉塵などが除去されたクリーンな空気は空気排出部を介して排出される。
【０００４】
フィルターの外部に付着した粉塵は、圧縮空気供給ヘッダーを介してフィルターの内部に供給される圧縮空気によってフィルターの外部から分離され、ハウジングの下部に設けられた集塵筒に集められる。
【０００５】
従来の集塵装置の一例が図１に示されており、図２には集塵装置の作用関係を説明する断面図が示されている。
【０００６】
次に、図１および図２を参照して、従来の集塵装置の構造および作用関係について考察する。従来の集塵装置は、内部に一定の空間が設けられたハウジング１００と、前記ハウジング１００の内部に配置され、空気中の粉塵などを濾過する多数のフィルター２００と、前記ハウジング１００の内部に空気を吸入し、フィルターによって粉塵が除去されたクリーンな空気を排出させる送風機３００と、前記ハウジング１００の前面ドア１１０に設置され、フィルター２００の内部に圧縮空気を供給する圧縮空気供給ヘッダー４００とを含む構成となっている。
【０００７】
前記ハウジング１００の上端部には空気吸入部１０１が設けられ、前記ハウジング１００の下部の一側には前記フィルター２００によって粉塵などが除去されたクリーンな空気を排出するための空気排出部１０３（図２参照）が設けられ、前記ハウジング１００の下端部には粉塵排出部１０５（図２参照）が設けられる。前記空気吸入部１０１は、ダクト（図示せず）に連結され、粉塵などの汚染物質を含んだ空気がハウジング１００の内部空間１００ｂに流入するようになっている。
【０００８】
前記空気排出部１０３は、前記フィルター２００を介して粉塵などが除去されたクリーンな空気を排出し、前記粉塵排出部１０５は、粉塵が集められる集塵筒１０７に結合されている。
【０００９】
前記ハウジング１００の正面には、フィルター２００の交換のために開閉するドア１１０が備えられる。前記フィルター２００としては、内部に空間が設けられた通常の円筒状フィルターを使用する。前記フィルター２００によって粉塵などが除去されたクリーンな空気は、送風機３００によって空気排出部１０３を介して排出する。
【００１０】
このような構造を持つ従来の集塵装置では、スイッチを作動させてコントローラの制御によって送風機３００を作動させることにより、空気吸入部１０１を介して、粉塵などの汚染物質を含む外部空気が図２に示すようにハウジング１００の上部側の内部空間１００ａに流入し、ハウジング１００の内部空間１００ａに流入した外部空気はフィルター２００を通過して外部空気中の粉塵などが濾過され、粉塵などの除去されたクリーンな空気はフィルター２００の内部空間１００ｂを介してハウジング１００の下部の空気排出部１０３に排出されるようにする。
【００１１】
このような過程を繰り返し行うことにより、外部空気中の粉塵などの汚染物質は除去される。前記フィルター２００によって濾過された粉塵などの汚染物質は、前記圧縮空気エアヘッダー４００によって圧縮空気をフィルター２００の内部に供給すると、フィルター２００に積もった粉塵が分離されて下部の粉塵排出部１０５を介して集塵筒１０７に集められるのである。
【００１２】
ところが、このような従来の集塵装置は、多数のフィルターがハウジングの内部にマトリクス状に積層配置されており、多数のフィルターの内部に圧縮空気を供給する圧縮空気供給ヘッダーがハウジングのドアの外側にマトリクス状に配置されるので、エアノズルがそれぞれのフィルターに直接対向する方式で出来ており、ハウジングに連結されたドアの構造が複雑になる。よって、従来の集塵装置は、製作の際に生産性が低くなるうえ、圧縮空気供給ヘッダーのエアノズルに連結されたエアホースが外部に露出されており、一側に連結された制御線と共に補修作業の際に邪魔となるという問題点などがある。
【発明の概要】
【発明が解決しようとする課題】
【００１３】
そこで、本発明は、上述した問題点を解決するためのもので、その目的とするところは、ハウジングのドアに設置された一つの圧縮空気供給ヘッダーにブローパイプを連結し、エアノズルがそれぞれのフィルターに直接対向するようにしてドアを単純化させた集塵機を提供することにある。
【００１４】
本発明の他の目的は、前記圧縮空気供給ヘッダーの一側に連結される制御線、および圧縮空気を供給するエアホースが外部に露出されないようにした集塵機を提供することにある。
【課題を解決するための手段】
【００１５】
上記目的を達成するために、本発明のある観点によれば、内部にフィルターを積層搭載するための空間が設けられるハウジングと、前記ハウジングの内部に設置され、空気吸入部を介して流入した外部空気から粉塵などを除去するように積層配置される多数のフィルターと、外部空気を吸入し、粉塵などが除去されたクリーンな空気を空気排出部に排出させる送風機と、前記フィルターの内部に圧縮空気を供給し、前記フィルターの外部にくっ付いている粉塵を分離させる圧縮空気供給ヘッダーと、前記ハウジングの粉塵排出部に結合され、前記フィルターで分離された粉塵を収集する集塵筒とを含む集塵機において、前記フィルターが水平に挿入されて積層配置されるように前記ハウジングが縦に区画され、前記フィルターの挿入される挿入孔を有するプレートが前記ハウジングのドアの入り口全面に備えられ、前記ハウジングのドアの上端には一つの圧縮空気供給ヘッダーが設置され、前記多数のフィルターにそれぞれ対応するエアノズルを備えたブローパイプが前記圧縮空気供給ヘッダーに連結されて前記ハウジングのドアの内側に設置されることを特徴とする、水平型集塵機を提供する。
【００１６】
また、前記圧縮空気供給ヘッダーに連結されたブローパイプは、エアノズルから前記フィルターに供給される圧縮空気の圧力を一定にするために、エアノズルが備えられたパイプを圧縮空気供給ヘッダーの連結部位から下方側に段階別に縮小させた形態をとる。また、前記ドアにヒンジによって結合された前記ハウジングの外側壁には、圧縮空気供給ヘッダーに連結される制御線と、圧縮空気を供給するエアホースとを収納するためのホーストレイを備えることを特徴とする。
【発明の効果】
【００１７】
本発明の水平型集塵機によれば、ハウジングのドアに圧縮空気供給ヘッダーを１つのみ設置し、この圧縮空気供給ヘッダーにブローパイプを連結することにより、エアノズルがそれぞれのフィルターに対向するので、ハウジングのドアが簡単になって生産性が向上する。また、本発明の水平型集塵機によれば、ドアにヒンジによって結合されたハウジングの外側壁にホーストレイを設置することにより、前記圧縮空気供給ヘッダーの一側に連結される制御線、および圧縮空気供給ホースが収納されるので、それらの制御線および圧縮空気供給ホースが補修作業の際に邪魔にならないという効果がある。
【図面の簡単な説明】
【００１８】
【図１】従来の集塵装置を説明するための斜視図である。
【図２】従来の集塵装置の作動関係を説明するための断面図である。
【図３】本発明に係る水平型集塵機を説明するための斜視図である。
【図４】本発明に係る圧縮空気供給ヘッダーとブローパイプとが一体的に設置されたハウジングのドア、およびホーストレイの構成を説明するための図である。
【図５Ａ】本発明のブローパイプの形態を示す図である。
【図５Ｂ】本発明のブローパイプの形態を示す図である。
【図６】本発明の水平型集塵機の設置状態を示す斜視図である。
【発明を実施するための最良の形態】
【００１９】
以下に添付図面を参照しながら、本発明の好適な実施例について詳細に説明する。
図３は本発明に係る水平型集塵機を説明するための図、図４は本発明に係る圧縮空気供給ヘッダーとブローパイプとが一体的に設置されたハウジングのドアおよびホーストレイの構成を説明するための図、図５Ａおよび図５Ｂは本発明のブローパイプの形態を示す図、図６は本発明の水平型集塵機の設置状態を示す図である。
【００２０】
次に、図３〜図６を参照して、本発明に係る水平型集塵機の技術的構成を考察する。本発明に係る水平型集塵機は、内部に一定の空間が設けられたハウジング１００と、前記ハウジング１００の内部に設置され、流入した空気中の粉塵などを濾過する多数のフィルター２００と、前記ハウジング１００のドア１１０に設置され、フィルター２００の内部に圧縮空気を供給する圧縮空気供給ヘッダー４００とを含む構成となっている。
【００２１】
また、ハウジング１００の内部には、外部空気を吸入し、フィルターによって粉塵などが除去されたクリーンな空気を排出させるための送風機、および前記ハウジング１００の内部に外部空気を流入させる空気吸入部が設けられる。ハウジング１００の下部の一側には、前記フィルター２００を通過したクリーンな空気を排出する空気排出部、および収集された粉塵を排出する粉塵排出部がそれぞれ設けられている。
【００２２】
前記空気吸入部は、ダクトに連結され、粉塵などの汚染物質を含む外部空気がハウジング１００の内部空間に流入するようにする。前記空気排出部は、前記フィルター２００を介して粉塵などが除去されたクリーンな空気を排出するものである。前記粉塵排出部は、粉塵を集めて排出するもので、集塵筒に結合されている。
【００２３】
前記ハウジング１００の正面には、フィルター２００の交換のために開閉するドア１１０が備えられる。前記フィルター２００は、内部に空間が設けられた通常の円筒状フィルターを使用する。前記フィルター２００は、空気吸入部を介して前記ハウジング１００の内部に流入した外部空気中の粉塵を濾過する。粉塵などが除去されたクリーンな空気は、フィルター２００を通過して空気排出部を介して排出される。
【００２４】
前記ハウジング１００は、前記フィルター２００が水平に挿入されて積層配置されるように縦に区画し、ドア１１０の入り口全面には前記フィルター２００が水平に挿入されるフィルター挿入孔２２０を有するプレート２１０が備えられる。
【００２５】
前記ハウジング１００のドア１１０の上端には一つの圧縮空気供給ヘッダー４００を設置する。前記多数のフィルター２００にそれぞれ対応するエアノズル４２０を備えたブローパイプ４１０を圧縮空気供給ヘッダー４００に結合させて前記ハウジングのドア１１０の内側に設置することにより、圧縮空気供給ヘッダー４００とブローパイプ４１０とがハウジングのドア１１０に一体に結合される。
【００２６】
この際、前記圧縮空気供給ヘッダー４００に連結されたブローパイプ４１０は、エアノズル４２０から前記フィルター２００に供給される圧縮空気の圧力を一定にするために、その直径を図５ｂに示すように圧縮空気供給ヘッダー４００の連結部位から下方側に段階別に縮小させた形態をとってもよい。
【００２７】
前記圧縮空気供給ヘッダー４００は、ハウジングのドア１１０の上端に設置され、エアホースで供給された圧縮空気がブローパイプ４１０のエアノズル４２０を介して多数のフィルター２００の内部に供給されるようにし、圧縮空気の供給によって、フィルター２００の外部に付着している粉塵などは分離されて集塵筒１０７に集められる。このような圧縮空気供給ヘッダー４００は、フィルター２００に対応して設けられる多数のエアノズル４２０によって圧縮空気がフィルター２００に供給されるように、コントローラの制御に連動した構造で出来ている。前記ブローパイプ４１０に連結された圧縮空気供給ヘッダー４００は、パルスバルブ(pulse valve)を使用することができる。
【００２８】
また、前記ハウジングのドア１１０にヒンジによって結合されたハウジング１００の外側壁には、圧縮空気供給ヘッダー４００に連結される制御線と、圧縮空気を供給するエアホース（図示せず）とを収納するためのホーストレイ１２０を設置することにより、前記圧縮空気供給ヘッダー４００の一側に連結される制御線および圧縮空気供給ホースを外部から保護し、集塵装置の外観を美麗にする。
【００２９】
前記ドア１１０は、通常のヒンジ結合によって前記ハウジング１００の正面に結合される。前記フィルター２００は、内部に空間が設けられた通常の円筒状フィルターを使用する。ハウジングのドア１１０を開くと、直ちに作業者が容易にフィルター２００を交換することができる。
【００３０】
前記ハウジング１００の内部空間を区画し、ハウジング１００の前面には垂直に提供されるプレート２１０が備えられる。前記プレート２１０には、前記フィルター２００を挿入して固定するための多数のフィルター挿入孔２２０が設けられている。
【００３１】
送風機（図示せず）は、ハウジング１００の一側に配置され、粉塵などの汚染物質を含む空気が空気吸入部を介して流入してフィルター２００によって粉塵などが除去されたクリーンな空気を空気排出部へ排出させるためのもので、通常の送風機を使用する。
【００３２】
本発明では、スイッチの作動によって送風機が駆動されると、粉塵などの汚染物質を含む外部空気がハウジングの空気吸入部を介してハウジングの内部に流入し、前記ハウジングの内部に流入した粉塵などを含む外部空気はフィルターの外部から内部に通過しながら粉塵などが濾過され、粉塵などの除去されたクリーンな空気は前記ハウジングに設けられた空気排出部を介して排出される。
【００３３】
このような過程で圧縮空気供給ヘッダーの作動によって前記フィルターの内部に圧縮空気が供給されると、フィルターの外部に付着していた粉塵が分離されてハウジングの粉塵排出部を介して集塵筒に集められる。フィルターで分離された粉塵は、フィルターにさらに付着することなく、集塵筒に収集できるのである。
【００３４】
以上、添付図面に示した実施例によって本発明を説明したが、これらの実施例は例示的なもので、本発明の保護範囲を限定するものではない。
【符号の説明】
【００３５】
１００    ハウジング
１０１    空気吸入部
１０３    空気排出部
１０５    粉塵排出部
１０７    集塵筒
１１０    ドア
１２０    ホーストレイ
１２１    タイマー
２００    フィルター
２１０    プレート
２２０    挿入孔
４００    圧縮空気供給ヘッダー
４１０    ブローパイプ
４２０    エアノズル
【図１】
2009233665.tif 000003
【図２】
2009233665.tif 000004
【図３】
2009233665.tif 000005
【図４】
2009233665.tif 000006
【図５Ａ】
2009233665.tif 000007
【図５Ｂ】
2009233665.tif 000008
【図６】
2009233665.tif 000009